【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
印刷ジョブに基づき印刷処理を実行する複数の印刷装置と、前記複数の印刷装置にそれぞれ対応した複数の印刷ジョブ保持装置とを、ネットワークを介してそれぞれ互いにデータ通信可能に接続した印刷システムであって、
前記印刷ジョブ保持装置は、
前記ネットワークを介して自印刷ジョブ保持装置に送られてきた印刷ジョブを保持する印刷ジョブ保持手段と、
所定の条件が成立したときに、前記ネットワークを介して自印刷ジョブ保持装置に送られてきた印刷ジョブの保持を、他の印刷ジョブ保持装置に委託する印刷ジョブ保持委託手段と、
他の印刷ジョブ保持装置に保持を委託した印刷ジョブの取得要求を、当該他の印刷ジョブ保持装置に送信する取得要求送信手段と、
他の印刷ジョブ保持装置から前記取得要求に係る印刷ジョブを受信する印刷ジョブ受信手段と、
自印刷ジョブ保持装置に対応した印刷装置への印刷指示に対応する印刷ジョブを、当該印刷装置に送信する印刷ジョブ送信手段と、を備え、
前記印刷装置は、前記印刷ジョブ保持装置から送信された印刷ジョブに基づき、前記印刷処理を実行することを特徴とする印刷システム。
【請求項２】
前記印刷ジョブ保持装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴とする請求項１に記載の印刷システム。
【請求項３】
前記印刷ジョブ保持委託手段は、前記他の印刷ジョブ保持装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の前記他の印刷ジョブ保持装置に保持させ、
前記取得要求送信手段は、前記印刷ジョブ部分を保持する３以上の印刷ジョブ保持装置のうち、２以上の印刷ジョブ保持装置に対して、前記印刷ジョブの取得要求を送信し、
前記印刷ジョブ保持装置は、前記他の印刷ジョブ保持装置から取得した２つ以上の前記印刷ジョブ部分から元の印刷ジョブを復元する印刷ジョブ復元手段を備えることを特徴とする請求項１又は請求項２に記載の印刷システム。
【請求項４】
複数の印刷装置を、ネットワークを介して互いにデータ通信可能に接続し、
前記印刷装置は、
前記ネットワークを介して自印刷装置に送られてきた印刷ジョブを保持する印刷ジョブ保持手段と、
所定の条件が成立したときに、前記ネットワークを介して自印刷装置に送られてきた印刷ジョブの保持を、他の印刷装置に委託する印刷ジョブ保持委託手段と、
前記他の印刷装置に保持を委託した印刷ジョブの取得要求を、当該他の印刷装置に送信する取得要求送信手段と、
他の印刷ジョブ保持装置から前記取得要求に係る印刷ジョブを受信する印刷ジョブ受信手段と、
前記印刷ジョブに基づき印刷処理を行う印刷処理手段と、を備えることを特徴とする印刷システム。
【請求項５】
前記印刷装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴とする請求項４に記載の印刷システム。
【請求項６】
前記印刷ジョブ保持委託手段は、前記他の印刷装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷装置に送信し、
前記取得要求送信手段は、前記印刷ジョブ部分を保持する３以上の印刷装置のうち、２以上の印刷装置に対して、前記印刷ジョブの取得要求を送信し、
前記印刷装置は、前記他の印刷装置から取得した２つ以上の前記印刷ジョブ部分から元の印刷ジョブを復元する印刷ジョブ復元手段を備えることを特徴とする請求項４又は請求項５に記載の印刷システム。
【請求項７】
印刷ジョブに基づき印刷処理を実行する複数の印刷装置と、前記複数の印刷装置にそれぞれ対応した前記印刷ジョブを保持する複数の印刷ジョブ保持装置とを、ネットワークを介して接続した印刷システムにおける前記印刷ジョブ保持装置であって、
前記ネットワークを介して自印刷ジョブ保持装置に送られてきた印刷ジョブを保持する印刷ジョブ保持手段と、
所定の条件が成立したときに、前記ネットワークを介して自印刷ジョブ保持装置に送られてきた印刷ジョブの保持を、他の印刷ジョブ保持装置に委託する印刷ジョブ保持委託手段と、
他の印刷ジョブ保持装置に保持を委託した印刷ジョブの取得要求を、当該他の印刷ジョブ保持装置に送信する取得要求送信手段と、
他の印刷ジョブ保持装置から前記取得要求に係る印刷ジョブを受信する印刷ジョブ受信手段と、
自印刷ジョブ保持装置に対応した印刷装置への印刷指示に対応する印刷ジョブを、当該印刷装置に送信する印刷ジョブ送信手段と、を備えることを特徴とする印刷ジョブ保持装置。
【請求項８】
前記印刷ジョブ保持装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴とする請求項７に記載の印刷システム。
【請求項９】
前記印刷ジョブ保持委託手段は、前記他の印刷ジョブ保持装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷ジョブ保持装置に保持させ、
前記取得要求送信手段は、前記印刷ジョブ部分を保持する３以上の印刷ジョブ保持装置のうち、２以上の印刷ジョブ保持装置に対して、前記印刷ジョブの取得要求を送信し、
前記他の印刷ジョブ保持装置から取得した２つ以上の前記印刷ジョブ部分から元の印刷ジョブを復元する印刷ジョブ復元手段を備えることを特徴とする請求項７又は請求項８に記載の印刷ジョブ保持装置。
【請求項１０】
印刷ジョブに基づき印刷処理を実行する複数の印刷装置と、前記複数の印刷装置にそれぞれ対応した、前記印刷ジョブを保持する複数の印刷ジョブ保持装置とを、ネットワークを介して接続した印刷システムにおける前記印刷ジョブ保持装置を制御するのに使用する印刷ジョブ保持装置制御プログラムであって、
前記ネットワークを介して前記印刷ジョブ保持装置に送られてきた印刷ジョブを保持する印刷ジョブ保持ステップと、
所定の条件が成立したときに、前記ネットワークを介して前記印刷ジョブ保持装置に送られてきた印刷ジョブの保持を、これとは他の印刷ジョブ保持装置に委託する印刷ジョブ保持委託ステップと、
前記他の印刷ジョブ保持装置に保持を委託した印刷ジョブの取得要求を、当該他の印刷ジョブ保持装置に送信する取得要求送信ステップと、
他の印刷ジョブ保持装置から前記取得要求に係る印刷ジョブを受信する印刷ジョブ受信ステップと、
前記印刷ジョブ保持装置に対応した印刷装置への印刷指示に対応する印刷ジョブを、当該印刷装置に送信する印刷ジョブ送信ステップとからなる処理をコンピュータに実行させるのに使用するプログラムを含むことを特徴とする印刷ジョブ保持装置制御プログラム。
【請求項１１】
ネットワークを介して自印刷装置に送られてきた印刷ジョブを保持する印刷ジョブ保持手段と、
所定の条件が成立したときに、前記ネットワークを介して自印刷装置に送られてきた印刷ジョブの保持を、他の印刷装置に委託する印刷ジョブ保持委託手段と、
他の印刷装置に保持を委託した印刷ジョブの取得要求を、当該他の印刷装置に送信する取得要求送信手段と、
他の印刷ジョブ保持装置から前記取得要求に係る印刷ジョブを受信する印刷ジョブ受信手段と、
前記印刷ジョブに基づき印刷処理を行う印刷処理手段と、を備えることを特徴とする印刷装置。
【請求項１２】
前記印刷装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴とする請求項１１に記載の印刷装置。
【請求項１３】
前記印刷ジョブ保持委託手段は、前記他の印刷装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷装置に送信し、
前記取得要求送信手段は、前記印刷ジョブ部分を保持する３以上の印刷装置のうち、２以上の印刷装置に対して、前記印刷ジョブの取得要求を送信し、
前記他の印刷装置から取得した２つ以上の前記印刷ジョブ部分から元の印刷ジョブを復元する印刷ジョブ復元手段を備えることを特徴とする請求項１１又は請求項１２に記載の印刷装置。
【請求項１４】
複数の印刷装置が、ネットワークを介して互いにデータ通信可能に接続された印刷システムにおける前記印刷装置を制御するのに使用する印刷装置制御プログラムであって、
前記ネットワークを介して前記印刷装置に送られてきた印刷ジョブを保持する印刷ジョブ保持ステップと、
所定の条件が成立したときに、前記ネットワークを介して前記印刷装置に送られてきた印刷ジョブの保持を、これとは他の印刷装置に委託する印刷ジョブ保持委託ステップと、
前記他の印刷装置に保持を委託した印刷ジョブの取得要求を、当該他の印刷装置に送信する取得要求送信ステップと、
他の印刷ジョブ保持装置から前記取得要求に係る印刷ジョブを受信する印刷ジョブ受信ステップと、
前記印刷ジョブに基づき印刷処理を行う印刷処理ステップとからなる処理をコンピュータに実行させるのに使用するプログラムを含むことを特徴とする印刷装置制御プログラム。
【手続補正２】
【補正対象書類名】明細書
【補正対象項目名】発明の名称
【補正方法】変更
【補正の内容】
【発明の名称】印刷システム、印刷ジョブ保持装置、印刷装置、印刷ジョブ保持装置制御プログラム及び印刷装置制御プログラム
【手続補正３】
【補正対象書類名】明細書
【補正対象項目名】０００１
【補正方法】変更
【補正の内容】
【０００１】
本発明は、複数の印刷装置がネットワークを介して接続された印刷システムに係り、特に、各印刷装置に対する複数の印刷ジョブを分散して保持するのに好適な印刷システム、印刷ジョブ保持装置、印刷装置、印刷ジョブ保持装置制御プログラム及び印刷装置制御プログラムに関する。
【手続補正４】
【補正対象書類名】明細書
【補正対象項目名】０００４
【補正方法】変更
【補正の内容】
【０００４】
そこで、本発明は、このような従来の技術の有する未解決の課題に着目してなされたものであって、複数の印刷装置がネットワークを介して接続された印刷システムにおいて、各印刷装置に対する複数の印刷ジョブを複数の装置に分散して保持することが可能な印刷システム、印刷ジョブ保持装置、印刷装置、印刷ジョブ保持装置制御プログラム及び印刷装置制御プログラムを提供することを目的としている。
【手続補正５】
【補正対象書類名】明細書
【補正対象項目名】００３３
【補正方法】変更
【補正の内容】
【００３３】
〔形態１１〕  一方、上記目的を達成するために、形態１１の印刷システムは、
印刷ジョブに基づき印刷処理を実行する複数の印刷装置と、前記複数の印刷装置にそれぞれ対応した複数の印刷ジョブ保持装置とを、ネットワークを介してそれぞれ互いにデータ通信可能に接続した印刷システムであって、
前記印刷ジョブ保持装置は、
前記ネットワークを介して自印刷ジョブ保持装置に送られてきた印刷ジョブを保持する印刷ジョブ保持手段と、
所定の条件が成立したときに、前記ネットワークを介して自印刷ジョブ保持装置に送られてきた印刷ジョブの保持を、他の印刷ジョブ保持装置に委託する印刷ジョブ保持委託手段と、
他の印刷ジョブ保持装置に保持を委託した印刷ジョブの取得要求を、当該他の印刷ジョブ保持装置に送信する取得要求送信手段と、
他の印刷ジョブ保持装置から前記取得要求に係る印刷ジョブを受信する印刷ジョブ受信手段と、
自印刷ジョブ保持装置に対応した印刷装置への印刷指示に対応する印刷ジョブを、当該印刷装置に送信する印刷ジョブ送信手段と、を備え、
前記印刷装置は、前記印刷ジョブ保持装置から送信された印刷ジョブに基づき、前記印刷処理を実行することを特徴としている。
【手続補正６】
【補正対象書類名】明細書
【補正対象項目名】００３４
【補正方法】変更
【補正の内容】
【００３４】
このような構成であれば、印刷ジョブ保持装置は、印刷ジョブ保持手段によって、前記ネットワークを介して自印刷ジョブ保持装置に送られてきた印刷ジョブを保持することが可能であり、印刷ジョブ保持委託手段によって、所定の条件が成立したときに、前記ネットワークを介して自印刷ジョブ保持装置に送られてきた印刷ジョブの保持を、他の印刷ジョブ保持装置に委託することが可能であり、印刷ジョブ送信手段によって、自印刷ジョブ保持装置に対応した印刷装置への印刷指示に対応する印刷ジョブを、当該印刷装置に送信することが可能であり、印刷ジョブ受信手段によって、他の印刷ジョブ保持装置から前記取得要求に係る印刷ジョブを受信することが可能である。
【手続補正７】
【補正対象書類名】明細書
【補正対象項目名】００３５
【補正方法】変更
【補正の内容】
【００３５】
また、印刷装置は、前記印刷ジョブ保持装置から送信された印刷ジョブに基づき、前記印刷処理を実行することが可能である。
従って、各印刷ジョブ保持装置は、自印刷ジョブ保持装置に送られてきた印刷ジョブを保持できない状態にあるなどの所定の条件が成立したときに、当該印刷ジョブの保持を、他の印刷ジョブ保持装置に委託することができるので、印刷ジョブを保持できない状態であっても、その印刷ジョブを削除等することなく他の印刷ジョブ保持装置に保持させることができるので、各印刷ジョブ保持装置に対する印刷ジョブを、複数の印刷ジョブ保持装置によって、効率よく保持することができるという効果が得られる。
ここで、上記印刷処理とは、例えば、ページ記述言語で印刷ジョブが生成されている場合に、まず、印刷ジョブ情報を解析して各ページの画像メモリを確保し、次に、ページ中のイメージ情報を画像メモリ情報に展開し、更に、ページ中のテキスト情報を取得すると共に当該取得したフォントに対応するフォント画像データを取得して、これを画像メモリ情報に展開し、この展開された画像データを印字するといったように、印刷ジョブに基づいて印刷を行うのに必要な一連の処理が含まれるものとする。以下の、印刷システム、印刷ジョブ保持装置、印刷ジョブ保持装置制御プログラム及び印刷ジョブ保持装置制御方法、並びに印刷装置、印刷装置制御プログラム及び印刷装置制御方法の各形態において同じである。
〔形態１２〕  更に、形態２の印刷システムは、形態１１の印刷システムにおいて、
前記印刷ジョブ保持装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴としている。
このような構成であれば、印刷ジョブ保持装置は、印刷ジョブ代理保持手段によって、前記他の印刷ジョブ保持装置から保持を委託された印刷ジョブを、当該印刷ジョブの委託元の印刷ジョブ保持装置の情報と対応付けて保持することが可能であり、委託印刷ジョブ送信手段によって、他の印刷ジョブ保持装置からの前記印刷ジョブの取得要求に応じて、自印刷ジョブ保持装置が保持している、当該取得要求に対応した印刷ジョブを、取得要求元の他の印刷ジョブ保持装置に送信することが可能である。
従って、他の印刷ジョブ保持装置に保持された自印刷ジョブ保持装置宛の印刷ジョブをいつでも取得して、自印刷ジョブ保持装置に対応する印刷装置に送信することができるので、ユーザは、任意のタイミングで任意の印刷装置に目的の印刷ジョブの印刷処理を行わせることができるという効果が得られる。
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】変更
【補正の内容】
【００４４】
〔形態１３〕  更に、形態１３の印刷システムは、形態１１又は１２の印刷システムにおいて、
前記印刷ジョブ保持委託手段は、前記他の印刷ジョブ保持装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の前記他の印刷ジョブ保持装置に保持させ、
前記取得要求送信手段は、前記印刷ジョブ部分を保持する３以上の印刷ジョブ保持装置のうち、２以上の印刷ジョブ保持装置に対して、前記印刷ジョブの取得要求を送信し、
前記印刷ジョブ保持装置は、前記他の印刷ジョブ保持装置から取得した２つ以上の前記印刷ジョブ部分から元の印刷ジョブを復元する印刷ジョブ復元手段を備えることを特徴としている。
このような構成であれば、他の印刷ジョブ保持装置に委託する印刷ジョブを、２つ以上の印刷ジョブ部分によって当該印刷ジョブを復元可能な状態に、３つ以上の印刷ジョブ部分に分割し、この印刷ジョブ部分を、それぞれ３以上の印刷ジョブ保持装置に別々に保持させるようにしたので、復元可能な数よりも少ない数の印刷ジョブ部分が漏洩しても、元の印刷ジョブの内容を知ることができないので、機密文書等の印刷ジョブを保持させるときのセキュリティを向上することができるという効果が得られる。
【手続補正１７】
【補正対象書類名】明細書
【補正対象項目名】００４５
【補正方法】変更
【補正の内容】
【００４５】
〔形態１４〕  また、上記目的を達成するために、形態１４の印刷システムは、
複数の印刷装置を、ネットワークを介して互いにデータ通信可能に接続し、
前記印刷装置は、
前記ネットワークを介して自印刷装置に送られてきた印刷ジョブを保持する印刷ジョブ保持手段と、
所定の条件が成立したときに、前記ネットワークを介して自印刷装置に送られてきた印刷ジョブの保持を、他の印刷装置に委託する印刷ジョブ保持委託手段と、
前記他の印刷装置に保持を委託した印刷ジョブの取得要求を、当該他の印刷装置に送信する取得要求送信手段と、
他の印刷ジョブ保持装置から前記取得要求に係る印刷ジョブを受信する印刷ジョブ受信手段と、
前記印刷ジョブに基づき印刷処理を行う印刷処理手段と、を備えることを特徴としている。
【手続補正１８】
【補正対象書類名】明細書
【補正対象項目名】００４６
【補正方法】変更
【補正の内容】
【００４６】
このような構成であれば、印刷ジョブ保持手段によって、前記ネットワークを介して自印刷装置に送られてきた印刷ジョブを保持することが可能であり、印刷ジョブ保持委託手段によって、所定の条件が成立したときに、前記ネットワークを介して自印刷装置に送られてきた印刷ジョブの保持を、他の印刷装置に委託することが可能であり、取得要求送信手段によって、他の印刷装置に保持を委託した印刷ジョブの取得要求を、当該他の印刷装置に送信することが可能であり、印刷ジョブ受信手段によって、他の印刷ジョブ保持装置から前記取得要求に係る印刷ジョブを受信することが可能であり、印刷処理手段によって、前記印刷ジョブに基づき印刷処理を行うことが可能である。
【手続補正１９】
【補正対象書類名】明細書
【補正対象項目名】００４７
【補正方法】変更
【補正の内容】
【００４７】
従って、各印刷装置は、自印刷装置に送られてきた印刷ジョブを保持できない状態にあるなどの所定の条件が成立したときに、当該印刷ジョブの保持を、他の印刷装置に委託することができるので、印刷ジョブを保持できない状態であっても、その印刷ジョブを削除等することなく他の印刷装置に保持させることができるので、各印刷装置に対する印刷ジョブを、複数の印刷装置によって、効率よく保持することができるという効果が得られる。
【手続補正２０】
【補正対象書類名】明細書
【補正対象項目名】００４９
【補正方法】変更
【補正の内容】
【００４９】
ここで、上記印刷ジョブの保持を委託するとは、自印刷装置宛に送られてきた印刷ジョブの保持を、自印刷装置の代わりに他の印刷装置に代理で行って貰うことであり、具体的には、例えば、自印刷装置宛に送られてきた印刷ジョブの全てまたは一部を、他の印刷装置に保存させること、自印刷装置宛に送られてきた印刷ジョブの全てまたは一部を取り分け、他の印刷装置へと送信し、他の印刷装置に保存させること、自印刷装置宛に送られてきた印刷ジョブを、他の印刷装置に自印刷装置の情報と対応付けて保存させることなど、様々な形態があり、これらの形態に対して、印刷ジョブ保持委託手段は、該当の印刷ジョブのヘッダに自装置の情報や委託指示のコマンド等の特別な情報を付加して委託先である他の印刷装置に送信したり、委託先の他の印刷装置に、印刷ジョブとは別途、委託指示のコマンド等を含む特別な情報を送信したりするなどの委託する印刷ジョブの送信処理の他、他の印刷装置が複数ある場合には、これら複数の中から委託先となる他の印刷装置を選択する（委託先として適切なものを選択する等）処理なども行う。なお、印刷ジョブの保持の委託、印刷ジョブの送信処理及び委託先の他の印刷装置の選択処理の各形態は、上記形態例に限定されるものではない。以下の、印刷装置、印刷装置制御プログラム及び印刷装置制御方法の各形態において同じである。
〔形態１５〕  更に、形態１５の印刷システムは、形態１４の印刷システムにおいて、
前記印刷装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴としている。
このような構成であれば、印刷ジョブ代理保持手段によって、他の印刷ジョブ保持装置から保持を委託された印刷ジョブを、当該印刷ジョブの委託元の印刷ジョブ保持装置の情報と対応付けて保持することが可能であり、委託印刷ジョブ送信手段によって、他の印刷装置からの前記印刷ジョブの取得要求に応じて、自印刷装置が保持している、当該取得要求に対応した印刷ジョブを、取得要求元の印刷装置に送信することが可能である。
従って、他の印刷装置に保持された自印刷装置宛の印刷ジョブをいつでも取得することができるので、ユーザは、任意のタイミングで任意の印刷装置に目的の印刷ジョブの印刷処理を行わせることができるという効果が得られる。
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５２
【補正方法】削除
【補正の内容】
【手続補正２４】
【補正対象書類名】明細書
【補正対象項目名】００５３
【補正方法】削除
【補正の内容】
【手続補正２５】
【補正対象書類名】明細書
【補正対象項目名】００５４
【補正方法】削除
【補正の内容】
【手続補正２６】
【補正対象書類名】明細書
【補正対象項目名】００５５
【補正方法】削除
【補正の内容】
【手続補正２７】
【補正対象書類名】明細書
【補正対象項目名】００５６
【補正方法】削除
【補正の内容】
【手続補正２８】
【補正対象書類名】明細書
【補正対象項目名】００５７
【補正方法】削除
【補正の内容】
【手続補正２９】
【補正対象書類名】明細書
【補正対象項目名】００５８
【補正方法】削除
【補正の内容】
【手続補正３０】
【補正対象書類名】明細書
【補正対象項目名】００５９
【補正方法】削除
【補正の内容】
【手続補正３１】
【補正対象書類名】明細書
【補正対象項目名】００６０
【補正方法】削除
【補正の内容】
【手続補正３２】
【補正対象書類名】明細書
【補正対象項目名】００６１
【補正方法】削除
【補正の内容】
【手続補正３３】
【補正対象書類名】明細書
【補正対象項目名】００６２
【補正方法】削除
【補正の内容】
【手続補正３４】
【補正対象書類名】明細書
【補正対象項目名】００６３
【補正方法】削除
【補正の内容】
【手続補正３５】
【補正対象書類名】明細書
【補正対象項目名】００６４
【補正方法】変更
【補正の内容】
【００６４】
〔形態１６〕  更に、形態１６の印刷システムは、形態１４又は１５の印刷システムにおいて、
前記印刷ジョブ保持委託手段は、前記他の印刷装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷装置に送信し、
前記取得要求送信手段は、前記印刷ジョブ部分を保持する３以上の印刷装置のうち、２以上の印刷装置に対して、前記印刷ジョブの取得要求を送信し、
前記印刷装置は、前記他の印刷装置から取得した２つ以上の前記印刷ジョブ部分から元の印刷ジョブを復元する印刷ジョブ復元手段を備えることを特徴としている。
【手続補正３６】
【補正対象書類名】明細書
【補正対象項目名】００６６
【補正方法】変更
【補正の内容】
【００６６】
〔形態１７〕  一方、形態１７の印刷ジョブ保持装置は、
印刷ジョブに基づき印刷処理を実行する複数の印刷装置と、前記複数の印刷装置にそれぞれ対応した前記印刷ジョブを保持する複数の印刷ジョブ保持装置とを、ネットワークを介して接続した印刷システムにおける前記印刷ジョブ保持装置であって、
前記ネットワークを介して自印刷ジョブ保持装置に送られてきた印刷ジョブを保持する印刷ジョブ保持手段と、
所定の条件が成立したときに、前記ネットワークを介して自印刷ジョブ保持装置に送られてきた印刷ジョブの保持を、他の印刷ジョブ保持装置に委託する印刷ジョブ保持委託手段と、
他の印刷ジョブ保持装置に保持を委託した印刷ジョブの取得要求を、当該他の印刷ジョブ保持装置に送信する取得要求送信手段と、
他の印刷ジョブ保持装置から前記取得要求に係る印刷ジョブを受信する印刷ジョブ受信手段と、
自印刷ジョブ保持装置に対応した印刷装置への印刷指示に対応する印刷ジョブを、当該印刷装置に送信する印刷ジョブ送信手段と、を備えることを特徴としている。
このような構成であれば、形態１１の印刷システムと同等の作用及び効果を得ることが可能である。
〔形態１８〕更に、形態１８の印刷ジョブ保持装置は、形態１７の印刷ジョブ保持装置において、
前記印刷ジョブ保持装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴としている。
このような構成であれば、形態１２の印刷システムと同等の作用及び効果を得ることが可能である。
【手続補正３７】
【補正対象書類名】明細書
【補正対象項目名】００６７
【補正方法】削除
【補正の内容】
【手続補正３８】
【補正対象書類名】明細書
【補正対象項目名】００６８
【補正方法】削除
【補正の内容】
【手続補正３９】
【補正対象書類名】明細書
【補正対象項目名】００６９
【補正方法】削除
【補正の内容】
【手続補正４０】
【補正対象書類名】明細書
【補正対象項目名】００７０
【補正方法】削除
【補正の内容】
【手続補正４１】
【補正対象書類名】明細書
【補正対象項目名】００７１
【補正方法】削除
【補正の内容】
【手続補正４２】
【補正対象書類名】明細書
【補正対象項目名】００７２
【補正方法】削除
【補正の内容】
【手続補正４３】
【補正対象書類名】明細書
【補正対象項目名】００７３
【補正方法】削除
【補正の内容】
【手続補正４４】
【補正対象書類名】明細書
【補正対象項目名】００７４
【補正方法】削除
【補正の内容】
【手続補正４５】
【補正対象書類名】明細書
【補正対象項目名】００７５
【補正方法】変更
【補正の内容】
【００７５】
〔形態１９〕  更に、形態１９の印刷ジョブ保持装置は、形態１７又は１８の印刷ジョブ保持装置において、
前記印刷ジョブ保持委託手段は、前記他の印刷ジョブ保持装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷ジョブ保持装置に保持させ、
前記取得要求送信手段は、前記印刷ジョブ部分を保持する３以上の印刷ジョブ保持装置のうち、２以上の印刷ジョブ保持装置に対して、前記印刷ジョブの取得要求を送信し、
前記他の印刷ジョブ保持装置から取得した２つ以上の前記印刷ジョブ部分から元の印刷ジョブを復元する印刷ジョブ復元手段を備えることを特徴としている。
このような構成であれば、形態１６の印刷システムと同等の作用及び効果を得ることが可能である。
【手続補正４６】
【補正対象書類名】明細書
【補正対象項目名】００７６
【補正方法】変更
【補正の内容】
【００７６】
〔形態２０〕  一方、形態２０の印刷ジョブ保持装置制御プログラムは、
印刷ジョブに基づき印刷処理を実行する複数の印刷装置と、前記複数の印刷装置にそれぞれ対応した、前記印刷ジョブを保持する複数の印刷ジョブ保持装置とを、ネットワークを介して接続した印刷システムにおける前記印刷ジョブ保持装置を制御するのに使用する印刷ジョブ保持装置制御プログラムであって、
前記ネットワークを介して前記印刷ジョブ保持装置に送られてきた印刷ジョブを保持する印刷ジョブ保持ステップと、
所定の条件が成立したときに、前記ネットワークを介して前記印刷ジョブ保持装置に送られてきた印刷ジョブの保持を、これとは他の印刷ジョブ保持装置に委託する印刷ジョブ保持委託ステップと、
前記他の印刷ジョブ保持装置に保持を委託した印刷ジョブの取得要求を、当該他の印刷ジョブ保持装置に送信する取得要求送信ステップと、
他の印刷ジョブ保持装置から前記取得要求に係る印刷ジョブを受信する印刷ジョブ受信ステップと、
前記印刷ジョブ保持装置に対応した印刷装置への印刷指示に対応する印刷ジョブを、当該印刷装置に送信する印刷ジョブ送信ステップとからなる処理をコンピュータに実行させるのに使用するプログラムを含むことを特徴としている。
このような構成であれば、コンピュータによってプログラムが読み取られ、読み取られたプログラムに従ってコンピュータが処理を実行すると、形態１１の印刷システムと同等の作用および効果が得られる。
【手続補正４７】
【補正対象書類名】明細書
【補正対象項目名】００７７
【補正方法】削除
【補正の内容】
【手続補正４８】
【補正対象書類名】明細書
【補正対象項目名】００７８
【補正方法】削除
【補正の内容】
【手続補正４９】
【補正対象書類名】明細書
【補正対象項目名】００７９
【補正方法】削除
【補正の内容】
【手続補正５０】
【補正対象書類名】明細書
【補正対象項目名】００８０
【補正方法】削除
【補正の内容】
【手続補正５１】
【補正対象書類名】明細書
【補正対象項目名】００８１
【補正方法】削除
【補正の内容】
【手続補正５２】
【補正対象書類名】明細書
【補正対象項目名】００８２
【補正方法】削除
【補正の内容】
【手続補正５３】
【補正対象書類名】明細書
【補正対象項目名】００８３
【補正方法】削除
【補正の内容】
【手続補正５４】
【補正対象書類名】明細書
【補正対象項目名】００８４
【補正方法】削除
【補正の内容】
【手続補正５５】
【補正対象書類名】明細書
【補正対象項目名】００８５
【補正方法】削除
【補正の内容】
【手続補正５６】
【補正対象書類名】明細書
【補正対象項目名】００８６
【補正方法】削除
【補正の内容】
【手続補正５７】
【補正対象書類名】明細書
【補正対象項目名】００８７
【補正方法】削除
【補正の内容】
【手続補正５８】
【補正対象書類名】明細書
【補正対象項目名】００８８
【補正方法】削除
【補正の内容】
【手続補正５９】
【補正対象書類名】明細書
【補正対象項目名】００８９
【補正方法】削除
【補正の内容】
【手続補正６０】
【補正対象書類名】明細書
【補正対象項目名】００９０
【補正方法】削除
【補正の内容】
【手続補正６１】
【補正対象書類名】明細書
【補正対象項目名】００９１
【補正方法】削除
【補正の内容】
【手続補正６２】
【補正対象書類名】明細書
【補正対象項目名】００９２
【補正方法】削除
【補正の内容】
【手続補正６３】
【補正対象書類名】明細書
【補正対象項目名】００９３
【補正方法】削除
【補正の内容】
【手続補正６４】
【補正対象書類名】明細書
【補正対象項目名】００９４
【補正方法】削除
【補正の内容】
【手続補正６５】
【補正対象書類名】明細書
【補正対象項目名】００９５
【補正方法】削除
【補正の内容】
【手続補正６６】
【補正対象書類名】明細書
【補正対象項目名】００９６
【補正方法】削除
【補正の内容】
【手続補正６７】
【補正対象書類名】明細書
【補正対象項目名】００９７
【補正方法】変更
【補正の内容】
【００９７】
〔形態２１〕  一方、上記目的を達成するために、形態２１の印刷装置は、
ネットワークを介して自印刷装置に送られてきた印刷ジョブを保持する印刷ジョブ保持手段と、
所定の条件が成立したときに、前記ネットワークを介して自印刷装置に送られてきた印刷ジョブの保持を、他の印刷装置に委託する印刷ジョブ保持委託手段と、
他の印刷装置に保持を委託した印刷ジョブの取得要求を、当該他の印刷装置に送信する取得要求送信手段と、
他の印刷ジョブ保持装置から前記取得要求に係る印刷ジョブを受信する印刷ジョブ受信手段と、
前記印刷ジョブに基づき印刷処理を行う印刷処理手段と、を備えることを特徴としている。
このような構成であれば、形態１４の印刷システムと同等の作用及び効果が得られる。
〔形態２２〕  更に、形態２２の印刷装置は、形態２１の印刷装置において、
前記印刷装置は、
前記他の印刷ジョブ保持装置から保持を委託された印刷ジョブを、当該印刷ジョブの委託元の印刷ジョブ保持装置の情報と対応付けて保持する印刷ジョブ代理保持手段と、
他の印刷ジョブ保持装置からの前記印刷ジョブの取得要求に応じて、前記印刷ジョブ代理保持手段が保持している、当該取得要求に対応した印刷ジョブを、取得要求元の印刷ジョブ保持装置に送信する委託印刷ジョブ送信手段とを備えることを特徴としている。
このような構成であれば、形態１５の印刷システムと同等の作用及び効果が得られる。
【手続補正６８】
【補正対象書類名】明細書
【補正対象項目名】００９８
【補正方法】削除
【補正の内容】
【手続補正６９】
【補正対象書類名】明細書
【補正対象項目名】００９９
【補正方法】削除
【補正の内容】
【手続補正７０】
【補正対象書類名】明細書
【補正対象項目名】０１００
【補正方法】削除
【補正の内容】
【手続補正７１】
【補正対象書類名】明細書
【補正対象項目名】０１０１
【補正方法】削除
【補正の内容】
【手続補正７２】
【補正対象書類名】明細書
【補正対象項目名】０１０２
【補正方法】削除
【補正の内容】
【手続補正７３】
【補正対象書類名】明細書
【補正対象項目名】０１０３
【補正方法】削除
【補正の内容】
【手続補正７４】
【補正対象書類名】明細書
【補正対象項目名】０１０４
【補正方法】削除
【補正の内容】
【手続補正７５】
【補正対象書類名】明細書
【補正対象項目名】０１０５
【補正方法】削除
【補正の内容】
【手続補正７６】
【補正対象書類名】明細書
【補正対象項目名】０１０６
【補正方法】変更
【補正の内容】
【０１０６】
〔形態２３〕  更に、形態２３の印刷装置は、形態２１又は２２の印刷装置において、
前記印刷ジョブ保持委託手段は、前記他の印刷装置に保持を委託する印刷ジョブを、２つ以上の印刷ジョブ部分から当該印刷ジョブを復元できるように、３つ以上の前記印刷ジョブ部分に分割すると共に、当該３つ以上の印刷ジョブ部分を、３以上の他の印刷装置に送信し、
前記取得要求送信手段は、前記印刷ジョブ部分を保持する３以上の印刷装置のうち、２以上の印刷装置に対して、前記印刷ジョブの取得要求を送信し、
前記他の印刷装置から取得した２つ以上の前記印刷ジョブ部分から元の印刷ジョブを復元する印刷ジョブ復元手段を備えることを特徴としている。
このような構成であれば、形態１６の印刷システムと同等の作用及び効果が得られる。
【手続補正７７】
【補正対象書類名】明細書
【補正対象項目名】０１０７
【補正方法】変更
【補正の内容】
【０１０７】
〔形態２４〕  一方、上記目的を達成するために、形態２４の印刷装置制御プログラムは、
複数の印刷装置が、ネットワークを介して互いにデータ通信可能に接続された印刷システムにおける前記印刷装置を制御するのに使用する印刷装置制御プログラムであって、
前記ネットワークを介して前記印刷装置に送られてきた印刷ジョブを保持する印刷ジョブ保持ステップと、
所定の条件が成立したときに、前記ネットワークを介して前記印刷装置に送られてきた印刷ジョブの保持を、これとは他の印刷装置に委託する印刷ジョブ保持委託ステップと、
前記他の印刷装置に保持を委託した印刷ジョブの取得要求を、当該他の印刷装置に送信する取得要求送信ステップと、
他の印刷ジョブ保持装置から前記取得要求に係る印刷ジョブを受信する印刷ジョブ受信ステップと、
前記印刷ジョブに基づき印刷処理を行う印刷処理ステップとからなる処理をコンピュータに実行させるのに使用するプログラムを含むことを特徴としている。
このような構成であれば、コンピュータによってプログラムが読み取られ、読み取られたプログラムに従ってコンピュータが処理を実行すると、形態１４の印刷システムと同等の作用および効果が得られる。
【手続補正７８】
【補正対象書類名】明細書
【補正対象項目名】０１０８
【補正方法】削除
【補正の内容】
【手続補正７９】
【補正対象書類名】明細書
【補正対象項目名】０１０９
【補正方法】削除
【補正の内容】
【手続補正８０】
【補正対象書類名】明細書
【補正対象項目名】０１１０
【補正方法】削除
【補正の内容】
【手続補正８１】
【補正対象書類名】明細書
【補正対象項目名】０１１１
【補正方法】削除
【補正の内容】
【手続補正８２】
【補正対象書類名】明細書
【補正対象項目名】０１１２
【補正方法】削除
【補正の内容】
【手続補正８３】
【補正対象書類名】明細書
【補正対象項目名】０１１３
【補正方法】削除
【補正の内容】
【手続補正８４】
【補正対象書類名】明細書
【補正対象項目名】０１１４
【補正方法】削除
【補正の内容】
【手続補正８５】
【補正対象書類名】明細書
【補正対象項目名】０１１５
【補正方法】削除
【補正の内容】
【手続補正８６】
【補正対象書類名】明細書
【補正対象項目名】０１１６
【補正方法】削除
【補正の内容】
【手続補正８７】
【補正対象書類名】明細書
【補正対象項目名】０１１７
【補正方法】削除
【補正の内容】
【手続補正８８】
【補正対象書類名】明細書
【補正対象項目名】０１１８
【補正方法】削除
【補正の内容】
【手続補正８９】
【補正対象書類名】明細書
【補正対象項目名】０１１９
【補正方法】削除
【補正の内容】
【手続補正９０】
【補正対象書類名】明細書
【補正対象項目名】０１２０
【補正方法】削除
【補正の内容】
【手続補正９１】
【補正対象書類名】明細書
【補正対象項目名】０１２１
【補正方法】削除
【補正の内容】
【手続補正９２】
【補正対象書類名】明細書
【補正対象項目名】０１２２
【補正方法】削除
【補正の内容】
【手続補正９３】
【補正対象書類名】明細書
【補正対象項目名】０１２３
【補正方法】削除
【補正の内容】
【手続補正９４】
【補正対象書類名】明細書
【補正対象項目名】０１２４
【補正方法】削除
【補正の内容】
【手続補正９５】
【補正対象書類名】明細書
【補正対象項目名】０１２５
【補正方法】削除
【補正の内容】
【手続補正９６】
【補正対象書類名】明細書
【補正対象項目名】０１２６
【補正方法】削除
【補正の内容】
【手続補正９７】
【補正対象書類名】明細書
【補正対象項目名】０１２７
【補正方法】削除
【補正の内容】
【手続補正９８】
【補正対象書類名】明細書
【補正対象項目名】０２２１
【補正方法】変更
【補正の内容】
【０２２１】
また、上記第１〜第５のプリンタ装置２０Ａ〜２０Ｅのような機能を有するプリンタ装置があれば上記した各処理を実行することが可能であり、プリンタサーバ等の他の管理装置が不要となるので、特に、大規模なシステムにおいては、コストを大幅に低減することが可能となる。
上記実施の形態において、データ制御部２０ｂ及びデータ記憶部２０ｃにおける印刷ジョブの保持処理は、形態１４又は２１の印刷ジョブ保持手段に対応し、印刷ジョブ保持委託処理部２０ｄは、形態１４、１６、２１及び２３のいずれか１の印刷ジョブ保持委託手段に対応し、印刷ジョブ代理保持処理部２０ｆは、形態１５又は２２の印刷ジョブ代理保持手段に対応し、データ制御部２０ｂ及びデータ通信部２０ａを介した分散データの取得要求の送信処理は、形態１４、１６、２１及び２３のいずれか１の取得要求送信手段に対応し、印刷ジョブ保持委託処理部２０ｄにおける印刷ジョブの復元処理は、形態１６又は２３の印刷ジョブ復元手段に対応し、印刷処理部２０ｉは、形態１４又は２１の印刷処理手段に対応する。
【手続補正９９】
【補正対象書類名】明細書
【補正対象項目名】０２２２
【補正方法】変更
【補正の内容】
【０２２２】
また、上記実施の形態において、ステップＳ２００〜ステップＳ２０８、並びにステップＳ２２０は、形態２４の印刷ジョブ保持ステップに対応し、ステップＳ２１０は、形態２０の印刷ジョブ保持委託ステップに対応し、ステップＳ４００〜ステップＳ４０４は、形態２４の印刷ジョブ代理保持ステップに対応し、ステップＳ４０６〜ステップＳ４１４は、形態２４の委託印刷ジョブ送信ステップに対応する。
【手続補正１００】
【補正対象書類名】明細書
【補正対象項目名】０２２４
【補正方法】変更
【補正の内容】
【０２２４】
このような構成とした場合に、データ制御部２０ｂ及びデータ記憶部２０ｃにおける印刷ジョブの保持処理は、形態１７の印刷ジョブ保持手段に対応し、印刷ジョブ保持委託処理部２０ｄは、形態１７又は１９の印刷ジョブ保持委託手段に対応し、データ制御部２０ｂ及びデータ通信部２０ａを介した分散データの取得要求の送信処理は、形態１７又は１９の取得要求送信手段に対応し、印刷ジョブ保持委託処理部２０ｄにおける印刷ジョブの復元処理は、形態１９の印刷ジョブ復元手段に対応する。
【手続補正１０１】
【補正対象書類名】明細書
【補正対象項目名】０２２５
【補正方法】変更
【補正の内容】
【０２２５】
また、ステップＳ２００〜ステップＳ２０８、並びにステップＳ２２０は、形態２０の印刷ジョブ保持ステップに対応し、ステップＳ２１０は、形態２０の印刷ジョブ保持委託ステップに対応し、ステップＳ４００〜ステップＳ４０４は、形態２０の印刷ジョブ代理保持ステップに対応し、ステップＳ４０６〜ステップＳ４１４は、形態２０の委託印刷ジョブ送信ステップに対応する。
【手続補正１０２】
【補正対象書類名】明細書
【補正対象項目名】０２２９
【補正方法】変更
【補正の内容】
【０２２９】
上記したように、プリンタ装置２０が、図１８に示す動作状態情報及び図１９に示す評価点を用いて委託先を決定する構成において、データ制御部２０ｂ及びデータ記憶部２０ｃにおける印刷ジョブの保持処理は、形態１４又は２１の印刷ジョブ保持手段に対応し、印刷ジョブ保持委託処理部２０ｄは、形態１４、１６、２１及び２３のいずれか１の印刷ジョブ保持委託手段に対応し、印刷ジョブ代理保持処理部２０ｆは、形態１４又は２１の印刷ジョブ代理保持手段に対応し、データ制御部２０ｂ及びデータ通信部２０ａを介した分散データの取得要求の送信処理は、形態１４、１６、２１及び２３のいずれか１の取得要求送信手段に対応し、印刷ジョブ保持委託処理部２０ｄにおける印刷ジョブの復元処理は、形態１６又は２３の印刷ジョブ復元手段に対応し、印刷処理部２０ｉは、形態１４又は２１の印刷処理手段に対応する。
【手続補正１０３】
【補正対象書類名】明細書
【補正対象項目名】０２３０
【補正方法】変更
【補正の内容】
【０２３０】
一方、プリンタ装置２０に代えて印刷ジョブ保持装置３０が図１８に示す動作状態情報及び図１９に示す評価点を用いて委託先を決定する構成の場合は、データ制御部２０ｂ及びデータ記憶部２０ｃにおける印刷ジョブの保持処理は、形態１７の印刷ジョブ保持手段に対応し、印刷ジョブ保持委託処理部２０ｄは、形態１７又は１９の印刷ジョブ保持委託手段に対応し、データ制御部２０ｂ及びデータ通信部２０ａを介した分散データの取得要求の送信処理は、形態１７又は１９の取得要求送信手段に対応し、印刷ジョブ保持委託処理部２０ｄにおける印刷ジョブの復元処理は、形態１９の印刷ジョブ復元手段に対応する。